(57)【要約】【課題】載置面に載置された原稿に入射した照明光の正反射成分が、載置面の法線方向に反射されるのを回避する。【解決手段】原稿１２からの反射光の経路の、−Ｘ側と＋Ｘ側に光源から射出された照明光を反射して前記原稿１２の読取領域１２ａに入射させる反射面１２４ａ，１２４ｂを有する照明ユニットにおいて、読取領域１２ａの−Ｘ側端部と反射面１２４ａの＋Ｘ側端部とを結ぶ直線Ｌ１と、原稿１２が載置される載置面２２０ａの法線との成す角、及び、読取領域１２ａの＋Ｘ側端部と反射面１２４ｂの−Ｘ側端部とを結ぶ直線Ｌ２と、Ｚ軸との成す角を２０度より大きくなるように、反射面の位置を規定する。これにより、原稿の読取領域に入射する照明光の入射角が所定の角度以上（例えば２０度以上）となり、原稿からの正反射成分が載置面２２０ａの法線方向（Ｚ軸方向）に反射されるのを回避することができる。【選択図】図５
2010041440.tif 000002
【特許請求の範囲】
【請求項１】
載置面に載置された原稿を照明する照明ユニットであって、
照明光を第１軸方向へ射出する複数の発光源が、前記第１軸に直交する第２軸方向に配列された光源と；
前記原稿の読取領域からの反射光の経路の、前記第２軸に直交し、前記載置面に平行な第３軸方向の一側に設けられ、前記光源から射出された照明光を反射して前記原稿に入射させる第１の反射面と；
前記反射光の経路の、前記第３軸方向の他側に設けられ、前記光源から射出された照明光を反射して前記原稿に入射させる第２の反射面と；を備え、
前記第１の反射面と前記第２の反射面との前記第３軸方向の間隔は、前記読取領域の前記第３軸方向の寸法よりも広く、
前記読取領域の前記第３軸方向の端部と前記第１の反射面又は前記第２の反射面の前記第３軸方向の端部とを結ぶ直線と、前記載置面の法線との成す角が２０度より大きい照明ユニット。
【請求項２】
前記光源からの照明光が、直接前記読取領域に入射することを防ぐ抑制部材を更に備える請求項１に記載の照明ユニット。
【請求項３】
原稿の情報を読み取る読取装置であって、
請求項１又は２に記載の照明ユニットと；
前記照明ユニットを移動させながら前記原稿を照明することにより得られる、前記原稿からの反射光に基づいて、前記情報を取得する処理装置と；を備える読取装置。
【請求項４】
前記処理装置は、前記反射光を受光する光電変換素子と、前記反射光を前記光電変換素子へ結像させる結像光学系とを有する請求項３に記載の読取装置。
【請求項５】
前記結像光学系は、縮小光学系である請求項４に記載の読取装置。
【請求項６】
前記結像光学系は、色分解機能を有する請求項４又は５に記載の読取装置。
【請求項７】
前記光電変換素子は、色分解機能を有する請求項４又は５に記載の読取装置。
【請求項８】
画像に関する情報から得られる潜像に基づいて形成されたトナー像を、記録媒体に定着させることにより、画像を形成する画像形成装置であって、
請求項３〜７のいずれか一項に記載の読取装置と；
前記読取装置からの情報に基づいて、感光体に潜像を形成する潜像形成装置と；
前記感光体に形成された潜像を顕像化する現像装置と；
前記現像装置により顕像化されたトナー像を前記記録媒体に定着させる転写装置と；を備える画像形成装置。
【発明の詳細な説明】
【技術分野】
【０００１】
本発明は、照明ユニット、読取装置及び画像形成装置に係り、更に詳しくは、原稿を照明する照明ユニット、該照明ユニットを備える読取装置、該読取装置を備える画像形成装置に関する。
【背景技術】
【０００２】
コピー機などに代表される画像形成装置や、原稿の情報を読み取るスキャナなどは、情報を読み取る際に原稿を照明するための照明ユニットを備えている（例えば特許文献１参照）。これらの装置では、情報を精度よく読み取るために、原稿を均一に照明する必要がある。この観点から、原稿を均一に効率よく照明するための照明ユニットが種々提案されている（例えば、特許文献１参照）。
【０００３】
この種の照明ユニットでは、例えば原稿が厚みのある書籍である場合などには、見開きの境部分がコンタクトガラスから浮いてしまうため、照明光が一様に反射されず、結果的に読み取った画像に白抜けが発生してしまう場合がある。また、複数のＬＥＤを光源とする照明ユニットを用いた読取装置では、ＬＥＤそのものの像が読み取られてしまい、読取画像に所謂ハレーションと呼ばれるドット抜けが発生してしまう場合がある。
【０００４】
そこで、これらハレーションの発生等の問題を解決するために、種々の提案がなされている（例えば特許文献２参照）。
【０００５】
【特許文献１】特開２００４−１５７２１３号公報
【特許文献２】特開平９−１３０５４２号公報
【発明の開示】
【発明が解決しようとする課題】
【０００６】
特許文献２に記載の技術は、照明光を原稿に向けて反射する反射板の一部の領域の反射率を低下させ、或いはフィルタを照明光の光路中に挿入することにより、法線方向に反射する正反射成分の強度を低下させて、画像に生じるハレーション（ブルーミング）を抑制しようとするものである。しかしながら、この方法では、照明光の利用率が低下してしまうとともに、原稿の傾斜角度によっては、ある程度の強度を有する反射光が原稿の載置面の法線方向へ反射されてしまい、結果的に画像にハレーションが生じてしまう場合がある。
【０００７】
本発明は、かかる事情の下になされたもので、その第１の目的は、載置面に載置された原稿に入射した照明光の正反射成分が、載置面の法線方向に反射されるのを回避する照明ユニットを提供することにある。
【０００８】
また、本発明の第２の目的は、原稿の情報を良好に読み取ることが可能な読取装置を提供することにある。
【０００９】
また、本発明の第３の目的は、原稿から読み取った情報に基づいて、良好な画像を形成することが可能な画像形成装置を提供することにある。
【課題を解決するための手段】
【００１０】
本発明は、第１の観点からすると、載置面に載置された原稿を照明する照明ユニットであって、照明光を第１軸方向へ射出する複数の発光源が、前記第１軸に直交する第２軸方向に配列された光源と；前記原稿の読取領域からの反射光の経路の、前記第２軸に直交し、前記載置面に平行な第３軸方向の一側に設けられ、前記光源から射出された照明光を反射して前記原稿に入射させる第１の反射面と；前記反射光の経路の、前記第３軸方向の他側に設けられ、前記光源から射出された照明光を反射して前記原稿に入射させる第２の反射面と；を備え、前記第１の反射面と前記第２の反射面との前記第３軸方向の間隔は、前記読取領域の前記第３軸方向の寸法よりも広く、前記読取領域の前記第３軸方向の端部と前記第１の反射面又は前記第２の反射面の前記第３軸方向の端部とを結ぶ直線と、前記載置面の法線との成す角が２０度より大きい照明ユニットである。
【００１１】
これによれば、原稿を照明する際に、原稿の読取領域に入射する照明光の入射角が所定の角度以上（例えば２０度以上）となるため、載置面に載置された原稿が有る程度傾斜していても、原稿からの正反射成分が載置面の法線方向に反射されることがない。したがって、原稿からの反射光に基づいて、原稿の情報を良好に取得し、画像を形成することが可能となる。
【００１２】
また、本発明は第２の観点からすると、原稿の情報を読み取る読取装置であって、本発明の照明ユニットと；前記照明ユニットを移動させながら前記原稿を照明することにより得られる、前記原稿からの反射光に基づいて、前記情報を取得する処理装置と；を備える読取装置である。
【００１３】
これによれば、原稿で反射した正反射成分が含まれない反射光に基づいて情報が取得されるので、結果的に原稿の情報を良好に読み取ることが可能となる。
【００１４】
また、本発明は第３の観点からすると、画像に関する情報から得られる潜像に基づいて形成されたトナー像を、記録媒体に定着させることにより、画像を形成する画像形成装置であって、本発明の読取装置と；前記読取装置からの情報に基づいて、感光体に潜像を形成する潜像形成装置と；前記感光体に形成された潜像を顕像化する現像装置と；前記現像装置により顕像化されたトナー像を前記記録媒体に定着させる転写装置と；を備える画像形成装置である。
【００１５】
これによれば、原稿から良好に読み取られた画像情報に基づいて形成された潜像が、顕像化され、記録媒体に定着されることにより最終的な画像が形成される。したがって、記録媒体上に良好な画像を形成することが可能となる。
【発明を実施するための最良の形態】
【００１６】
以下、本発明の一実施形態を図１〜図５に基づいて説明する。図１には、本実施形態に係る画像形成装置２００の概略構成が示されている。
【００１７】
この画像形成装置２００は、原稿１２に記録された画像情報を読み取って、普通紙上に転写するコピー機である。この画像形成装置２００は、図１に示されるように、読取ユニット１００、光走査装置２４０、感光ドラム２０１、帯電チャージャ２０２、現像装置２０３、転写ベルト２０４、電圧印加ローラ２０５、クリーニング装置２０６、給紙コロ２０８、レジストローラ対２０９、転写ローラ２１０、定着ローラ対２１１、排紙トレイ２１２、及びこれらを収容するハウジング２２０などを備えている。
【００１８】
前記ハウジング２２０は、上面にコンタクトガラスが嵌め込まれた直方体状の筐体である。原稿の読み取りが行われる際には、コンタクトガラスの上面（以下載置面２２０ａという）に原稿が載置される。
【００１９】
前記読取ユニット１００は、ハウジング２２０の載置面２２０ａの下方に、不図示の駆動機構によってＸ軸方向に移動可能に配置されている。
【００２０】
図２は読取ユニット１００の概略的な構成を示す図である。図２に示されるように、読取ユニット１００は、ハウジング２２０の載置面２２０ａの上面に載置された原稿１２を照明する照明光を射出する照明ユニット１２０、原稿１２に反射された照明光（以下反射光ともいう）を受光するラインセンサ１０５、反射光を反射してラインセンサ１０５まで導く３つのミラー１０２ａ〜１０２ｃ、反射光をラインセンサ１０５へ結像させる結像レンズ１０３などを備えている。
【００２１】
図３は照明ユニット１２０の斜視図である。図３に示されるように、前記照明ユニット１２０は、長手方向をＹ軸方向とし、＋Ｘ側の面に複数のＬＥＤ１２１が設けられた基板１２２と、相互に対向する面に反射面が形成された一対の反射部材１２３，１２４とを有している。
【００２２】
前記反射部材１２３は、例えばＹ軸方向を長手方向とする長方形状板状の部材を、Ｙ軸に平行な線に沿って、上方に凸となるように折り曲げることにより形成されている。そして、下面には照明光を反射する反射面１２３ａが形成されている（図２参照）。この反射面１２３ａは、反射性を有するシートを反射部材１２３の下面に貼り付けるか、又は、反射性を有する金属などを反射部材１２３の下面に蒸着させることなどにより形成することができる。
【００２３】
前記反射部材１２４は、Ｙ軸方向を長手方向とする開口１２４ｃが形成された板状の部材を、開口１２４ｃの＋Ｘ側の外縁及び−Ｘ側の外縁に沿って、それぞれ上方及び下方に折り曲げ、さらに下方に折り曲げられた部分をＹ軸に平行な線に沿って下方に凸となるように折り曲げることにより形成されている。そして、上面の開口１２４ｃの−Ｘ側と、＋Ｘ側にはそれぞれ反射面１２４ａ、１２４ｂがそれぞれ形成されている（図２参照）。この反射面１２４ａ、１２４ｂは、反射性を有するシートを反射部材１２４の上面に貼り付けるか、又は、反射性を有する金属などを反射部材１２４の上面に蒸着させることなどにより形成することができる。
【００２４】
図４は、前記基板１２２の平面図である。図４に示されるように、基板１２２の＋Ｘ側の面には、例えば１２個のＬＥＤ１２１が設けられている。本実施形態では、１２個のＬＥＤの隣り合う間隔は、基板１２２の中心から＋Ｙ側端部、及び−Ｙ側端部に向かって小さくなるように配置され、それぞれのＬＥＤ１２１からは、Ｘ軸に平行な光線を主光線とする照明光が射出されるようになっている。
【００２５】
図５に示されるように、上述の反射部材１２３，１２４、及び基板１２２は、反射部材１２３及び反射部材１２４それぞれが不図示の支持部材によって支持され、反射部材１２３及び反射部材１２４の−Ｘ側端部に、基板１２２の上端部及び下端部がそれぞれ固定されることで一体化されている。
【００２６】
反射部材１２３，１２４、及び基板１２２が一体化された状態では、基板１２２はＹＺ平面と平行となり、反射部材１２４の開口１２４ｃが形成された部分は、ＸＹ平面にほぼ平行となっている。そして、照明ユニット１２０では、照明ユニット１２０のＬＥＤ１２１から＋Ｘ方向へ射出された照明光は、反射面１２３ａ，１２４ａ，１２４ｂを介して＋Ｚ方向へ反射され、原稿１２の下面に入射する。これにより、原稿１２下面の長手方向をＹ軸方向とする矩形状の読取領域１２ａが照明される。
【００２７】
本実施形態では、図５を参酌するとわかるように、読取領域１２ａと開口１２４ｃの位置がＸＹ平面内において一致している。そして、読取領域１２ａのＸ軸方向の寸法よりも、反射面１２４ａの＋Ｘ側端から反射面１２４ｂの−Ｘ側端までの距離の方が大きくなるように、各反射面１２４ａ，１２４ｂの配置及び形状が規定されている。具体的には、読取領域１２ａの−Ｘ側端部と反射面１２４ａの＋Ｘ側端部とを結ぶ直線Ｌ１と、原稿１２が載置される載置面２２０ａの法線、すなわちＺ軸との成す角をαとし、読取領域１２ａの＋Ｘ側端部と反射面１２４ｂの−Ｘ側端部とを結ぶ直線Ｌ２と、Ｚ軸との成す角をβとすると、角度α、βそれぞれは２０度以上の大きさとなっている。
【００２８】
このため、原稿１２の読取領域１２ａに入射する照明光は、入射角が２０度以上で原稿１２へ入射する。そして、図２を参酌するとわかるように、原稿１２に入射した照明光は−Ｚ方向へ反射され、一部が反射部材１２４に形成された開口１２４ｃを介して−Ｚ方向へ進行する。この照明光は、ミラー１０２ａ〜１０２ｃに順次反射されることにより結像レンズ１０３へ入射し、結像レンズ１０３によってラインセンサ１０５の＋Ｘ側の受光面に結像される。
【００２９】
前記ラインセンサ１０５は、例えば赤、緑、青のフィルタを持った光電変換素子を有する３ラインＣＣＤであり、入射する照明光に応じた画像信号を生成し出力する。この画像信号は不図示の画像処理回路において、光走査装置２４０に対する書込信号に変換される。
【００３０】
図１に戻り、前記光走査装置２４０は、ハウジング２２０の内部に配置され、画像処理回路（不図示）からの書込信号に基づいて変調されたレーザ光を主走査方向（図１におけるＹ軸方向）へ偏向走査することにより、感光ドラム２０１の表面を走査する。
【００３１】
前記感光ドラム２０１は、その表面にレーザ光が照射されると、その部分が導電性となる性質をもつ感光層が形成された円柱状の部材であり、光走査装置２４０の下方にＹ軸方向を長手方向として配置され、不図示の回転機構により図１における時計回り（図１の矢印に示される方向）に回転されている。そして、その周囲には、図１における１２時（上側）の位置に帯電チャージャ２０２が配置され、２時の位置に現像装置２０３が配置され、６時の位置に転写ベルト２０４、電圧印加ローラ２０５などが配置され、１０時の位置にクリーニング装置２０６が配置されている。
【００３２】
前記帯電チャージャ２０２は、感光ドラム２０１の表面に対し所定のクリアランスを介して配置され、感光ドラム２０１の表面を所定の電圧で帯電させる。
【００３３】
前記現像装置２０３は、リボルバ式の現像装置であり、イエロー画像、マゼンダ画像、シアン画像、及び黒色画像に対応するトナーを順次感光ドラム２０１の表面に供給する。
【００３４】
前記クリーニング装置２０６は、Ｙ軸方向を長手方向とする長方形状のクリーニングブレードを備え、該クリーニングブレードの一端が感光ドラム２０１の表面に接するように配置されている。感光ドラム２０１の表面に吸着されたトナーは、感光ドラム２０１の回転に伴いクリーニングブレードにより剥離され、クリーニング装置２０６に回収される。
【００３５】
前記転写ベルト２０４は、３本のローラに巻回された無担環状のベルトであり、その上面が、帯電チャージャ２０２とは逆極性の電圧が印加された電圧印加ローラ２０５によって感光ドラム２０１に圧接されている。
【００３６】
前記給紙トレイ２０７は、ハウジング２２０の−Ｘ側の側壁に形成された開口から−Ｘ側端が突出した状態で配置され、内部には複数枚の用紙２１３が収容されている。
【００３７】
前記給紙コロ２０８は、給紙トレイ２０７から用紙２１３を１枚ずつ取り出し、１対の回転ローラから構成されるレジストローラ対２０９を介して、用紙２１３を転写ベルト２０４と転写ローラ２１０との間に導出する。
【００３８】
前記転写ローラ２１０は、電圧印加ローラ２０５とは逆極性の電圧が印加され、上面が転写ベルト２０４に圧接されている。
【００３９】
前記定着ローラ２１１は、１対の回転ローラから構成され、用紙２１３を加熱するとともに加圧する。そして、ハウジング２２０の＋Ｘ側の側壁に形成された開口から＋Ｘ側端が突出した状態で配置された排紙トレイ２１２に対し、用紙２１３を順次排出する。
【００４０】
次に、上述のように構成された画像形成装置２００の動作について説明する。照明ユニット１２０がＸ軸方向に移動することにより、原稿１２の画像情報が取得されると、この、画像情報に基づく書込信号に基づいて光走査装置２４０が駆動され、レーザ光によって感光ドラム２０１の表面が走査される。
【００４１】
感光ドラム２０１の表面の感光層は、帯電チャージャ２０２によって所定の電圧で帯電されることで、電荷が一定の電荷密度で分布している。レーザ光により、感光ドラム２０１が走査されると、レーザ光によって走査されたところの感光層が導電性を有するようになり、その部分の電位が零となる。したがって、図１の矢印の方向に回転している感光ドラム２０１の表面が、画像情報に基づいて変調されたレーザ光により順次走査されると、感光ドラム２０１の表面には、電荷の分布によって規定される静電潜像が形成される。
【００４２】
感光ドラム２０１の表面に静電潜像が形成されると、現像装置２０３により、感光ドラム２０１の表面に各色に対応したトナーが順次供給される。感光ドラム２０１の表面では、走査された部分にのみトナーが付着するため、感光ドラム２０１の表面には静電潜像が可視化された各色に対応するトナー像が順次形成されていく。
【００４３】
そして、これらのトナー像は、転写ベルト２０４の表面に重ね合わされた状態で転写される。これにより、イエロー画像、マゼンダ画像、シアン画像、及び黒色画像にそれぞれ対応するトナーからなる１つのトナー像が形成される。そして、この各色成分のトナーからなるトナー像は、転写ベルト２０４と転写ローラ２１０との間に導出された用紙２１３に、転写ローラ２１０の作用により付着された後、定着ローラ対２１１によって定着される。これにより、用紙２１３上に画像が形成される。このようにして画像が形成された用紙２１３は、順次排紙トレイ２１２にスタックされる。
【００４４】
以上説明したように、本実施形態の照明ユニット１２０では、読取領域１２ａのＸ軸方向の寸法よりも、反射面１２４ａの＋Ｘ側端から反射面１２４ｂの−Ｘ側端までの距離の方が大きくなるように、各反射面１２４ａ，１２４ｂの配置及び形状が規定されている。具体的には、読取領域１２ａの−Ｘ側端部と反射面１２４ａの＋Ｘ側端部とを結ぶ直線Ｌ１と、原稿１２が載置される載置面２２０ａの法線、すなわちＺ軸との成す角をαとし、読取領域１２ａの＋Ｘ側端部と反射面１２４ｂの−Ｘ側端部とを結ぶ直線Ｌ２と、Ｚ軸との成す角をβとすると、角度α、βそれぞれは２０度以上の大きさとなっている。これにより、原稿１２の読取領域１２ａに入射する照明光は、入射角が２０度以上で原稿１２へ入射する。したがって、原稿からの正反射成分が載置面２２０ａの法線方向（Ｚ軸方向）に反射されるのを回避することができ、画像形成装置２００に形成される画像に生じるハレーションを低減することができる。以下、詳述する。
【００４５】
図６からわかるように、原稿からの反射光がＺ軸に沿って下方へ進行する条件では、照明光の載置面２２０ａに対する照明光の入射角をθとすると、原稿の傾き角δの大きさはθ／２となる。そして、傾き角δは、原稿１２への照明光の入射角と等価である。画像形成装置においてハレーションが発生する要因は、原稿１２への入射角が１０度より小さい照明光が反射されることによる正反射成分を含む反射光がＺ軸に沿って下方へ進行し、結像レンズ１０３等を含む結像光学系に入射することである。
【００４６】
したがって、例えば原稿の傾き角δが１０度より小さい場合には、載置面２２０ａに対する入射角が２０度より小さくなる照明光を原稿１２に入射させなければ、画像形成装置においてハレーションの発生を抑制することができる。その理由は、原稿１２に対する照明光の入射角δはθ／２と同値であるため、θが２０度以上の場合には、原稿１２に対する照明光の入射角δは常に１０度以上となるからである。
【００４７】
また、読取領域１２ａは、読取密度と光電変換素子(一般的にＣＣＤが使用される)の副走査方向（Ｚ軸方向）の幅で最小読取範囲が決定される。読取の１ラインの幅は、算出式２５．４ｍｍ／読取密度（ｄｐｉ）で求めることができる。例えば６００ｄｐｉでの読取の場合、１ラインの読取幅は０．０４２ｍｍ（＝２５．４ｍｍ／６００ｄｐｉ）となる。３ラインＣＣＤを用いたフルカラー読取の場合は、ＲＧＢ３色のライン間隔分だけ副走査方向の読取幅が広がり、算出式２５．４ｍｍ／読取密度（ｄｐｉ）×ライン間隔数で求めることができる。例えばＲＧＢ各色間が４ラインであるとＲからＢまでのライン間隔は１１ライン（３＋４×２ライン）となり、このときの読取幅は０．４６５ｍｍ（２５．４ｍｍ／６００ｄｐｉ×１１ライン）となる。理論的にはこの値の両端から条件式で規定している角度の範囲に照明光を反射する反射部材を配置しなければハレーションは発生しない。しかし、実際の読取装置おいては、走行体の振動や調整精度を考慮して、最小読取範囲に対し、一般的に±数ミリの余裕度を必要とするため、実施の読取幅としては４〜５ｍｍ程度とするのが良い。
【００４８】
また、本実施形態では、上述のようにハレーションの発生が効果的に抑制されるので、照明ユニット１２０の光学系として、従来ハレーションが発生することを理由に使用できなかった縮小結像光学系を用いることが可能となる。このため、原稿面深度幅を等倍結像素子を用いた場合に比較して非常に広くすることができ、本などの厚い原稿の綴じ部に形成された画像を高精度に読み取ることが可能となる。
【００４９】
また、本実施形態では、反射部材１２３，１２４が、光源（ＬＥＤ１２１）の上下に配置されている。このため、光源からの照明光は、角度依存性を持って＋Ｘ方向へ射出され、反射部材１２３，１２４によって、読取領域１２ａに集光される。
【００５０】
このような光源を、反射部材１２３，１２４などを用いることなく、使用する場合には、通常図７に示されるように、光源からの照明光の発散光の一部が原稿１２の読取領域１２ａの範囲外に入射してしまう。その結果、画像にフレアやゴーストが発生したり、装置の照明光率が低下してしまうという問題があった。本実施形態では、光源からの照明光が、反射部材１２３，１２４によって、読取領域１２ａに導かれるので、少ない光源でも光源配列方向の照明ムラを小さく抑えることができ、結果的に読取領域１２ａをむら無く照明することが可能となる。また、装置の小型化を図ることが可能となる。
【００５１】
本実施形態の画像形成装置においては、ＣＣＤをラインセンサとして用いる方法の他に、例えば、結像レンズとラインセンサの間に色分解プリズムや、フィルタを選択的に挿入し、照明光をＲＧＢに色分解する方法や、例えばＲＧＢに対応する光源を順次点灯させて原稿を照明する方法などを用いて、カラー画像を形成することも可能である。
【００５２】
また、反射面１２４ａ，１２４ｂそれぞれは、一例として図８（Ａ）に示されるように、３つの部分から構成されることとしても良く、図８（Ｂ）に示されるように、Ｙ軸方向を母線方向とする湾曲面としてもよい。複数の部分で反射面を構成する場合には、原稿に対する照明光の入射範囲を調整することができる。また、反射面を湾曲面とすることで、効率良く照明光を集光することができる。
【００５３】
なお、ＬＥＤ１２１としては、平面型のＬＥＤ及び端面発光型のＬＥＤの双方を用いることが考えられるが、本発明は、ＬＥＤ以外の光源を用いて原稿を照明する場合にも好適である。
【００５４】
また、本実施形態では、図４に示されるように、１２個のＬＥＤの隣り合う間隔は、基板１２２の中心から＋Ｙ方向、及び−Ｙ方向に向かって小さくなるように配置されている。これにより、集光レンズの画角に応じてラインセンへ入射する照明光の周辺光量が低下することを回避することができ、ラインセンサでは良好な情報の読み取りが可能となる。
【００５５】
また、上記各実施形態では、本発明の照明ユニット１２０がコピー機に用いられる場合について説明したが、コピー機以外の画像形成装置、例えば、ファクシミリ、又は、これらが集約された複合機にも好適である。
【図面の簡単な説明】
【００５６】
【図１】画像形成装置の概略構成を示す図である。
【図２】読取ユニットの概略構成を示す図である。
【図３】照明ユニットの斜視図である。
【図４】ＬＥＤのレイアウトを示す図である。
【図５】照明ユニットの側面図である。
【図６】照明用ニットの作用を説明するための図（その１）である。
【図７】照明ユニットの作用を説明するための図（その２）である。
【図８】図８（Ａ）及び図８（Ｂ）は照明ユニットの変形例を示す図（その１、その２）である。
【符号の説明】
【００５７】
１２…原稿、１２ａ…読取領域、１００…読取ユニット、１０２ａ〜１０２ｃ…ミラー、１０３…結像レンズ、１０５…ラインセンサ、１２０…照明ユニット、１２１…ＬＥＤ、１２２…基板、１２３，１２４…反射部材、１２３ａ，１２４ａ，１２４ｂ…反射面、１２４ｃ…開口、２００…画像形成装置、２０１…感光ドラム、２０２…帯電チャージャ、２０３…現像装置、２０４…転写ベルト、２０５…電圧印加ローラ、２０６…クリーニング装置、２０７…給紙トレイ、２０８…給紙コロ、２０９…レジストローラ対、２１０…転写ローラ、２１１…定着ローラ対、２１２…排紙トレイ、２１３…用紙、２２０…ハウジング、２２０ａ…載置面、２４０…光走査装置。
【図１】
2010041440.tif 000003
【図２】
2010041440.tif 000004
【図３】
2010041440.tif 000005
【図４】
2010041440.tif 000006
【図５】
2010041440.tif 000007
【図６】
2010041440.tif 000008
【図７】
2010041440.tif 000009
【図８】
2010041440.tif 000010